(57)【要約】【課題】物体と接触している部分の温度を抑制する輻射ヒータ装置を提供する。【解決手段】輻射ヒータ装置１は、基板部２に埋設された電極４と、発熱部５とを有する。発熱部５は、複数の発熱線５０を有する。複数の発熱線５０は、電極５５、５６によって複数の並列群５１、５２、５３を形成するように並列に接続されている。さらに、複数の並列群５１、５２、５３は、電極５５、５６によって直列に接続されている。発熱部５は、人に暖かさを感じさせる輻射熱を放射できる放射温度に到達できるように設定されている。発熱部５の熱的な抵抗は、表面の上において物体が接触するとき、物体が接触している部分の温度が、放射温度より低い抑制温度に低下するように設定されている。電極４と発熱部５とは、膜状に形成されており、熱的な容量が抑制されている。発熱部５の温度は通電に応答して迅速に上昇する。発熱部５の温度は物体が接触すると迅速に低下する。【選択図】図２
2016022857.tif 000002
【特許請求の範囲】
【請求項１】
電気絶縁性の材料によって表面を提供するように形成された基板部（２）と、
前記表面に沿って延びるように前記基板部に支持され、通電によって発熱することにより輻射熱（Ｒ）を放射する発熱部（５、２０５、３０５、４０５、５０５、６０５、７０５）とを備え、
前記発熱部は、人に暖かさを感じさせる輻射熱を放射できる放射温度に到達できるように設定され、
前記発熱部の熱的な抵抗（Ｒｈ）は、前記表面の上において物体が接触するとき、前記物体が接触している部分の温度が、前記放射温度より低い抑制温度に低下するように設定されていることを特徴とする輻射ヒータ装置。
【請求項２】
さらに、前記表面に沿って延びるように前記基板部に支持された一対の電極（３、３１、３２、４、４１、４２）を備え、
前記発熱部は、前記電極よりも電気的な固有抵抗が高い材料によって作られ、一対の前記電極の間において、少なくとも部分的に直列に接続された複数の発熱線（５０、６５０、５０ｂ、５０ｃ、５０ｄ）を含み、
前記発熱線の長さ方向の熱的な抵抗（Ｒｈ）は、前記表面の上において物体が接触するとき、前記物体が接触している部分の温度が、前記放射温度より低い抑制温度に低下するように設定されていることを特徴とする請求項１に記載の輻射ヒータ装置。
【請求項３】
複数の前記発熱線は、前記電極と同じ材料によって形成された接続部（５５、５６、５７、３５５、３５６、３５７）によって直列に接続されていることを特徴とする請求項２に記載の輻射ヒータ装置。
【請求項４】
複数の前記発熱線は、前記発熱線と同じ材料によって形成された接続部（５５５、５５６）によって直列に接続されていることを特徴とする請求項２に記載の輻射ヒータ装置。
【請求項５】
前記接続部（５５、５６、５７、５５５、５５６）は、少なくとも２つの前記発熱線を並列に接続することにより複数の並列群（５１、５２、５３）を形成するとともに、複数の前記並列群を直列に接続していることを特徴とする請求項３または請求項４に記載の輻射ヒータ装置。
【請求項６】
前記電極と前記発熱線とは前記基板部の内部において電気的に接合されていることを特徴とする請求項２から請求項５のいずれかに記載の輻射ヒータ装置。
【請求項７】
前記電極と前記発熱線とは焼結によって接合されていることを特徴とする請求項６に記載の輻射ヒータ装置。
【請求項８】
前記発熱線（５０）は、直線状に延びていることを特徴とする請求項２から請求項７のいずれかに記載の輻射ヒータ装置。
【請求項９】
前記発熱線（５０ｂ、５０ｃ、５０ｄ）は、蛇行して延びていることを特徴とする請求項２から請求項７のいずれかに記載の輻射ヒータ装置。
【請求項１０】
さらに、少なくとも２つの前記発熱線を並列に接続することにより形成された並列群（５１、５２、５３）の中において、複数の前記発熱線を電気的に短絡することにより直列の接続を提供する中間電極（４５８）を備えることを特徴とする請求項２から請求項９のいずれかに記載の輻射ヒータ装置。
【請求項１１】
前記基板部は、平板状であって、前記発熱部（５、２０５、３０５、４０５、５０５、６０５、７０５）は前記表面に沿って広がる膜状であることを特徴とする請求項１から請求項１０のいずれかに記載の輻射ヒータ装置。
【請求項１２】
前記基板部は表面層（２１）と裏面層（２２）とを有し、前記発熱部（５、２０５、３０５、４０５、５０５、６０５、７０５）は前記表面層と前記裏面層との間に配置されていることを特徴とする請求項１から請求項１１のいずれかに記載の輻射ヒータ装置。
【請求項１３】
前記発熱部（６０５）は、複数の貫通穴により網状に形成された発熱線（６５０）を有することを特徴とする請求項１から請求項１２のいずれかに記載の輻射ヒータ装置。
【請求項１４】
前記基板部は、前記輻射熱の放射方向に向けて突出する凸部（６２４、７２４、８２４、９２４、１０２４）および前記凸部に隣接する凹部（６２５、７２５、８２５、９２５、１０２５）を備えることを特徴とする請求項１から請求項１３のいずれかに記載の輻射ヒータ装置。
【発明の詳細な説明】
【技術分野】
【０００１】
ここに開示される発明は、輻射によって対象を暖める輻射ヒータ装置に関する。
【背景技術】
【０００２】
特許文献１−特許文献４は、輻射ヒータ装置を開示している。この装置は、車両の室内において、乗員に対向するように設けられている。
【先行技術文献】
【特許文献】
【０００３】
【特許文献１】特開２０１２−５６５３１号公報
【特許文献２】特開２０１２−２２８８９６号公報
【特許文献３】特開２０１４−９４４号公報
【特許文献４】特開２０１４−３０００号公報
【発明の概要】
【発明が解決しようとする課題】
【０００４】
上記装置は、車両用暖房装置を補助するために、乗員に温熱感を与える装置として有効である。しかし、特許文献３または特許文献４に記載された構成では、輻射熱を放射するための放熱部が必要である。この放熱部は、輻射ヒータ装置の熱容量を大きくするという課題がある。また、放熱部は、生産工程上の課題、価格上の課題を生じることがある。このように、輻射ヒータ装置には、さらなる改良が求められている。
【０００５】
発明の目的は、物体と接触している部分の温度を抑制することができる輻射ヒータ装置を提供することである。
【０００６】
発明の他の目的は、物体と接触している部分の温度が長期間にわたって高温に維持されることを回避できる輻射ヒータ装置を提供することである。
【０００７】
発明のさらに他の目的は、高温部分への近接を抑制できる輻射ヒータ装置を提供することである。
【課題を解決するための手段】
【０００８】
ここに開示される発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、発明の技術的範囲を限定するものではない。
【０００９】
開示される発明のひとつにより、輻射ヒータ装置が提供される。発明は、電気絶縁性の材料によって表面を提供するように形成された基板部（２）と、表面に沿って延びるように基板部に支持され、通電によって発熱することにより輻射熱（Ｒ）を放射する発熱部（５、２０５、３０５、４０５、５０５、６０５、７０５）とを備え、発熱部は、人に暖かさを感じさせる輻射熱を放射できる放射温度に到達できるように設定され、発熱部の熱的な抵抗（Ｒｈ）は、表面の上において物体が接触するとき、物体が接触している部分の温度が、放射温度より低い抑制温度に低下するように設定されていることを特徴とする。
【００１０】
この構成によると、輻射ヒータ装置は、物体が接触していないときには、放射温度に到達し、対象に向けて輻射熱を放射することができる。一方、輻射ヒータ装置の一部に物体が接触すると、物体と接触している部分の温度を抑制することができる。このため、接触している物体の温度の過剰な上昇が抑制される。
【図面の簡単な説明】
【００１１】
【図１】第１実施形態に係る輻射ヒータ装置を示す車両の断面図である。
【図２】第１実施形態に係る輻射ヒータ装置の平面図である。
【図３】上図のＩＩＩ−ＩＩＩ線における断面図である。
【図４】輻射ヒータ装置における熱伝達モデルを示す部分断面図である。
【図５】輻射ヒータ装置における熱伝達モデルを示す部分断面図である。
【図６】第１実施形態の熱抵抗と温度との関係を示すグラフである。
【図７】第１実施形態の熱伝導率と断面積との関係を示すグラフである。
【図８】第１実施形態の作動の一例を示す波形図である。
【図９】第２実施形態に係る輻射ヒータ装置の平面図である。
【図１０】第３実施形態に係る輻射ヒータ装置の平面図である。
【図１１】第４実施形態に係る輻射ヒータ装置の平面図である。
【図１２】第５実施形態に係る輻射ヒータ装置の平面図である。
【図１３】第６実施形態に係る輻射ヒータ装置の平面図である。
【図１４】第７実施形態に係る輻射ヒータ装置の平面図である。
【図１５】第８実施形態に係る輻射ヒータ装置の平面図である。
【図１６】上図のＸＶＩ−ＸＶＩ線における断面図である。
【図１７】第９実施形態に係る輻射ヒータ装置の平面図である。
【図１８】上図のＸＶＩＩＩ−ＸＶＩＩＩ線における断面図である。
【図１９】第１０実施形態に係る輻射ヒータ装置の平面図である。
【図２０】上図のＸＸ−ＸＸ線における断面図である。
【図２１】第１１実施形態に係る輻射ヒータ装置の平面図である。
【図２２】上図のＸＸＩＩ−ＸＸＩＩ線における断面図である。
【図２３】第１２実施形態に係る輻射ヒータ装置の平面図である。
【図２４】上図のＸＸＩＶ−ＸＸＩＶ線における断面図である。
【発明を実施するための形態】
【００１２】
図面を参照しながら、ここに開示される発明を実施するための複数の形態を説明する。各形態において、先行する形態で説明した事項に対応する部分には同一の参照符号を付して重複する説明を省略する場合がある。また、後続の実施形態においては、先行する実施形態で説明した事項に対応する部分に百以上の位だけが異なる参照符号を付することにより対応関係を示し、重複する説明を省略する場合がある。各形態において、構成の一部のみを説明している場合は、構成の他の部分については他の形態の説明を参照し適用することができる。
【００１３】
（第１実施形態）
図１において、第１実施形態に係る輻射ヒータ装置１は、道路走行車両、船舶、航空機などの移動体の室内に設置されている。装置１は、室内のための暖房装置１０の一部を構成している。装置１は、移動体に搭載された電池、発電機などの電源から給電されて発熱する電気的なヒータである。装置１は、薄い板状に形成されている。装置１は、電力が供給されると発熱する。装置１は、その表面と垂直な方向に位置付けられた対象物を暖めるために、主としてその表面と垂直な方向へ向けて輻射熱Ｒを放射する。
【００１４】
室内には、乗員１２が着座するための座席１１が設置されている。装置１は、乗員１２の足元に輻射熱Ｒを放射するように室内に設置されている。装置１は、暖房装置１０の起動直後において、乗員１２に対して即効的に暖かさを提供するための装置として利用することができる。装置１は、室内の壁面に設置される。装置１は、想定される通常の姿勢の乗員１２に対向するように設置される。例えば、道路走行車両は、ハンドル１４を支持するためのステアリングコラム１３を有している。装置１は、ステアリングコラム１３の下面に設置することができる。装置１は、その表面が室内に向けて露出するように設置されている。装置１は、乗員１２が装置１の表面に直接に触れることを阻止するためのカバー部材を有することなく、実質的に室内に露出している。
【００１５】
図２において、装置１は、軸Ｘと軸Ｙによって規定されるＸ−Ｙ平面に沿って広がっている。装置１は、ほぼ四角形の薄い板状に形成されている。装置１は、基板部２と、複数の電極３、４と、複数の発熱部５とを有する。図中には、基板部２に埋設された電極３、４と、発熱部５とを示すために、ハッチングが付されている。
【００１６】
図３は、図２のＩＩＩ−ＩＩＩ断面を示す。図中において、装置１は、軸Ｚの方向に厚さをもつ。装置１は、主として表面と垂直な方向に向けて輻射熱Ｒを放射する面状ヒータとも呼ぶことができる。
【００１７】
基板部２は、優れた電気絶縁性を提供し、かつ高温に耐える樹脂材料によって作られている。基板部２は、表面を提供する。基板部３は、平板状に形成されている。基板部３は、設置場所の壁面に対応した曲面を与えられる。基板部３は、その形状を維持できる剛性を有している。基板部３は、壁面に沿うように変形するための可撓性をもつことができる。基板部２は、熱可塑性樹脂によって作ることができる。基板部２は、多層基板である。
【００１８】
基板部２は、表面層２１と、裏面層２２と、中間層２３とを有する。これらの層２１、２２、２３は、熱可塑性樹脂のシートによって提供される。表面層２１は、輻射熱Ｒの放射方向に面している。言い換えると、表面層２１は、装置１の設置状態において、加熱対象である乗員１２の一部に対向して配置される表面を提供する。表面層２１の表面は、室内に向けて露出している。裏面層２２は、装置１の背面を提供する。中間層２３は、表面層２１と裏面層２２との間に配置されている。上記層２１、２２、２３のひとつまたは複数の上に、電極３、４、および、発熱部５を形成する材料が担持される。基板部２は、電極３、４、および、発熱部５を支持するための部材である。
【００１９】
基板部２を提供する材料は、電極３、４および発熱部５よりも十分に低い熱伝導率を提供する。基板部２は、隣接する２つの発熱部５の間において、熱伝導を抑制する断熱部を提供する。
【００２０】
複数の電極３、４は、装置１の外部に少なくとも一部が露出する外部の電極３と、基板部２内に配置されている内部の電極４とを有する。電極３は、電力を供給するための一対の電極３１、３２を含む。一対の電極３１、３２は、装置１の端子を提供する。これら電極３は、基板部２の外縁部、表面、および裏面を含む基板部２の外面に配置される。電極３の一部は基板部２の内部に埋設され、電極４と電気的に接続されている。なお、電極４を基板部２の外面に露出させ、電極を供給するための端子として利用してもよい。
【００２１】
電極４は、基板部２の内部に埋設されている。電極４は、後述する複数の発熱部５へ電力を分配するバスバー部分でもある。電極４は、電極３から延びている。電極４は、複数の発熱部５に比べて十分に低い電気抵抗値を有する。電極４の電気抵抗値は、電極４における発熱を抑制することができるように設定されている。電極４は、電極４に接続された複数の発熱部５に均等に電流を分配する。
【００２２】
発熱部５は、基板部２の内部に埋設されている。発熱部５は、表面層２１と裏面層２２との間に配置されている。よって、発熱部５は、基板部２の表面には露出していない。発熱部５は、基板部２によって保護されている。表面層２１は発熱部５を保護しながら、発熱部５からの輻射熱の放射を許容する。
【００２３】
発熱部５は、基板部２の面と平行な薄い板状に形成されている。発熱部５は、通電によって供給される熱によって輻射熱Ｒを放射可能である。発熱部５は、所定放射温度Ｔｒに加熱されることによって、乗員１２、すなわち人に暖かさを感じさせる輻射熱Ｒを放射することができる。発熱部５の体積は、発熱部５から供給される熱によって発熱部５が輻射熱Ｒを放射することができる温度に到達できるように設定されている。発熱部５の体積は、発熱部５から供給される熱によって放熱部３の温度が急速に上昇するように設定されている。発熱部５の体積は、装置１の表面に接触した物体への放熱によって急速な温度低下を生じるように小さく設定されている。発熱部５の厚さは、表面と平行な面積を最大化し、体積を最小化するために、薄く設定されている。発熱部５の面積は、輻射熱Ｒを放射するために適した広さに設定されている。発熱部５の面積は、装置１の表面に対向して位置付けられる物体、例えば乗員１２の一部分より小さく設定されている。
【００２４】
発熱部５は、複数の発熱線５０を有する。発熱線５０は、基板部２の表面に沿って真っ直ぐに延びている。発熱線５０は、薄く細長い帯状、または線状と呼びうる形状を有している。発熱線５０は、リボン状発熱体、または線状発熱体と呼ぶことができる。発熱線５０は、基板部２の表面に沿って直線状に真っ直ぐに延びている。発熱線５０の一端は一方の電極４に電気的に接続されている。発熱線５０の他端は他方の電極４に電気的に接続されている。
【００２５】
複数の発熱線５０は、互いに平行に配置されている。複数の発熱線５０は、それらの間に隙間６を区画形成するように配置されている。複数の発熱線５０は、基板部２の表面に対してほぼ均等に分散するように配置されている。複数の発熱線５０は、一対の電極４１、４２の間の領域においてほぼ均等な密度で分布するように配置されている。複数の発熱線５０は、基板部２の単位領域のほとんどの範囲に分散的に配置されている。複数の発熱線５０のそれぞれが、発熱部５の最小単位を提供している。
【００２６】
電極４は、電力を供給するための一対の電極４１、４２を有する。一対の電極４１、４２は、幹電極と呼ぶことができる。一対の電極４１、４２は、基板部２の単位領域の両端に互いに離れて配置されている。一対の電極４１、４２は、基板部２の単位領域の両辺に沿って延びている。一対の電極４１、４２が設けられた領域とそれらの間の領域とが単位領域を規定する。装置１は、複数の単位領域を備えるように構成される場合がある。
【００２７】
装置１は、複数の発熱帯５ａ、５ｂ、５ｃを有する。装置１は、少なくともひとつの発熱帯をもつように構成することができる。複数の発熱帯５ａ、５ｂ、５ｃは、一対の電極４１、４２の間において電気的に並列に接続されている。電極４１、４２は、複数の発熱帯５ａ、５ｂ、５ｃ、またはそれらに含まれる複数の発熱線５０を並列に接続する並列接続部とも呼ぶことができる。複数の発熱体５ａ、５ｂ、５ｃは、同じ構成をもつ。図中には、３つの発熱帯が図示されている。電極４１、４２の間に配置された複数の発熱帯５ａ、５ｂ、５ｃは、ひとつの発熱帯の中に断線が生じても他の発熱帯が機能を発揮することを可能とする。以下、発熱帯５ａを説明する。
【００２８】
ひとつの発熱帯５ａは、複数の発熱線５０を有する。ひとつの発熱体５ａは、少なくとも２つの発熱線５０を電気的に直列に接続する少なくともひとつの電極５５、５６を有する。電極５５、５６は、機能的という観点では、発熱帯５ａに属する要素として見ることができる。電極５５、５６は、材料という観点では、電極４１、４２と同じであるから、電極４に属する要素として見ることができる。電極５５、５６は、それぞれ、電極４１、４２の近傍に、電極４１、４２から離れて配置されている。ひとつの発熱帯５ａにおいて、複数の発熱線５０は、互いに平行に配置されている。ひとつの発熱帯５ａにおいて、複数の発熱線５０は、少なくとも部分的に電気的に直列に接続されている。ひとつの発熱帯５ａにおいて、複数の発熱線５０は、少なくとも部分的に電気的に並列に接続されている。ひとつの発熱帯５ａにおいて、複数の発熱線５０は、蛇行するように配置されている。
【００２９】
図示の例では、発熱帯５ａは、複数の発熱線５１ａ、５１ｂ、５２ａ、５２ｂ、５３ａ、５３ｂを有する。複数の発熱線５１ａ、５１ｂの一端は、電極４１に接続されている。複数の発熱線５１ａ、５１ｂの他端は、電極５５に接続されている。複数の発熱線５１ａ、５１ｂは、電極４１、５５の間において電気的に並列に接続されている。複数の発熱線５２ａ、５２ｂの一端は、電極５６に接続されている。複数の発熱線５２ａ、５２ｂの他端は、電極５５に接続されている。複数の発熱線５２ａ、５２ｂは、電極５５、５６の間において電気的に並列に接続されている。複数の発熱線５３ａ、５３ｂの一端は、電極５６に接続されている。複数の発熱線５３ａ、５３ｂの他端は、電極４２に接続されている。複数の発熱線５３ａ、５３ｂは、電極５６、４２の間において電気的に並列に接続されている。
【００３０】
複数の発熱線５１ａ、５１ｂは、並列群５１とも呼ばれる。複数の発熱線５２ａ、５２ｂは、並列群５２とも呼ばれる。複数の発熱線５３ａ、５３ｂは、並列群５３とも呼ばれる。よって、発熱帯５ａは、複数の並列群５１、５２、５３を有する。並列群５１と並列群５２とは、電極５５によって、電気的に直列に接続されている。並列群５２と並列群５３とは、電極５６によって、電気的に直列に接続されている。よって、複数の並列群５１、５２、５３は、電極５５、５６によって、電気的に直列に接続されている。ひとつの並列群に含まれる複数の発熱線は、ひとつの並列群の中において、ひとつの発熱線に断線が生じても他の発熱線が機能を発揮することを可能とする。
【００３１】
電極５５、５６は、複数の発熱線５０の間を接続する。電極５５、５６は、中間電極と呼ぶことができる。電極５５、５６は、複数の発熱線５０を並列および／または直列に接続する接続部を提供する。電極５５、５６が提供する接続部は、少なくとも２つの発熱線５０を並列に接続することにより複数の並列群５１、５２、５３を形成するとともに、複数の並列群５１、５２、５３を直列に接続している。電極５５、５６は、複数の発熱線５０を並列および直列に接続する直並列接続部とも呼ぶことができる。電極５５、５６は、複数の発熱線５０を電気的に並列に接続する。電極５５、５６は、複数の発熱線５０を電気的に直列に接続する。言い換えると、複数の発熱線５０は、電極４１、４２と同じ材料によって形成された接続部５５、５６によって直列に接続されている。複数の発熱線５０は、装置１上の少なくとも一部分において直列に接続されている。よって、複数の発熱線５０は、少なくとも部分的に直列に接続されているといえる。
【００３２】
例えば、電極５５は、２つの発熱線５１ａ、５１ｂを、電気的に並列に接続している。同時に、電極５５は、２つの発熱線５２ａ、５２ｂを、電気的に並列に接続している。電極５５は、２つの発熱線を電気的に直列にも接続している。例えば、電極５５は、発熱線５１ａと、発熱線５２ａまたは発熱線５２ｂとの間を電気的に直列に接続する。電極５５は、発熱線５１ｂと、発熱線５２ａまたは発熱線５２ｂとの間を電気的に直列に接続する。
【００３３】
電極５５、５６は、互いに平行に配置された複数の発熱線５０の端部に配置されている。電極５５、５６は、それによって直列接続されるひとつの発熱線５０における通電方向と、それによって直列接続される他の発熱線５０における通電方向とを基板部２の上において変化させる。図示の例では、電極５５、５６は、通電方向を反転させる。言い換えると、電極５５、５６は、電流方向が変化するターン部に配置されている。電極５５、５６は、ターン電極と呼ぶことができる。真っ直ぐの発熱線５０は、発熱線５０上における電流の集中を抑制するために貢献する。また、電極５５、５６は、ターン部における電流の集中を抑制するために貢献する。
【００３４】
電極３、４、５５、５６の通電方向に関する断面積を規定する形状および寸法、並びに、電極３、４、５５、５６の材料は、低い電気抵抗値を提供するように選定され、設定されている。電極３、４、５５、５６の断面積と材料とは、複数の発熱線５０へ均等に電流を分配するために、良好な電気導体を提供するように設定されている。発熱線５０の通電方向に関する断面積を規定する形状および寸法、並びに、発熱線５０の材料は、通電によって輻射熱Ｒを発生するように高い電気抵抗値を提供するように選定され、設定されている。電極３、４、５５、５６の材料と、発熱線５０の材料とは、異なる材料である。電極３、４、５５、５６の材料の電気的な固有抵抗は、発熱線５０の材料の電気的な固有抵抗より十分に低い。
【００３５】
電極４は、細長く延びており、軸Ｙに沿って長手方向をもつ。電極４は、軸Ｙに沿って長さＥＬをもつ。長さＥＬは、電極４内における通電方向に相当する。電極４は、軸Ｘに沿って幅ＥＷをもつ。幅ＥＷは、通電方向に直交する。電極４は、軸Ｚに沿って厚さＥＴをもつ。厚さＥＴは、長さＥＬおよび幅ＥＷより小さい。よって、電極４は、リボン状の電気導体を提供する。
【００３６】
発熱線５０は、細長く延びており、軸Ｘに沿って長手方向をもつ。発熱線５０は、軸Ｘに沿って長さＨＬをもつ。長さＨＬは、発熱線５０内における通電方向に相当する。長さＨＬは、最長の発熱線５０の長さ、または複数の発熱線５０の平均長さとすることができる。発熱線５０は、軸Ｙに沿って幅ＨＷをもつ。幅ＨＷは、通電方向に直交する。発熱線５０は、軸Ｚに沿って厚さＨＴをもつ。厚さＨＴは、長さＨＬおよび幅ＨＷより小さい。よって、発熱線５０は、リボン状の発熱体を提供する。幅ＨＷは、１ｍｍである。幅ＨＷは、１００μｍ〜５ｍｍの範囲内とすることができる。幅ＨＷは、２ｍｍより小さく設定することが望ましい。さらに、幅ＨＷは、１ｍｍ以下１００μｍ以上に設定することが望ましい。
【００３７】
厚さＨＴは、１５μｍである。厚さＨＴは、３０±２０μｍの範囲内とすることができる。厚さＨＴは、幅ＨＷより小さく（ＨＷ＞ＨＴ）設定することが望ましい。厚さＨＴは、１ｍｍより小さく設定することが望ましい。厚さＨＴは、１００μｍより小さく設定することが望ましい。
【００３８】
幅ＥＷは、電極４における電気抵抗値を抑制するために、幅ＨＷより大きく設定されている。この実施形態では、通電方向に直交する電極４の断面積は、通電方向に直交する発熱部５の断面積より大きい。発熱線５０の固有抵抗より小さい電極４の固有抵抗は、電極４の断面積を抑制することを可能とする。同様の目的のために、厚さＥＴを厚さＨＴより大きく設定してもよい。
【００３９】
隙間６は、幅ＧＷをもつ。隙間６の長さは、発熱線５０の長さＨＬと同じである。複数の発熱線５０と複数の隙間６とは、電極４の長さＥＬの全体にわたって交互に配置されている。隙間６の幅ＧＷは、発熱線５０の幅ＨＷと等しく設定することができる。これにより、複数の発熱線５０が均等に分散して配置される。また、微細な幅ＨＷ、ＧＷをもつ発熱線５０と隙間６とが高密度に配列される。この結果、輻射ヒータ装置１の表面における温度分布が抑制される。このような微細な発熱線５０の高密度の配置は、輻射ヒータ装置１の面から均一な輻射熱Ｒを放射するために貢献する。
【００４０】
この実施形態では、輻射ヒータ装置１は、薄い板状に形成される。さらに、基板部２の内部に埋設された電極３、４、５５、５６および発熱線５０は、基板部２の表面と平行に拡がる膜状である。このような膜状の電極３、４、５５、５６および発熱線５０は、広い面積にわたって輻射熱Ｒを放射するために有利である。
【００４１】
発熱部５は、通電によって発熱する材料によって作られている。発熱線５０は、通電によって発熱するように通電方向に沿って電気的な抵抗値を示す。発熱線５０は、金属材料によって作ることができる。発熱線５０は、錫合金によって作ることができる。発熱線５０は、銅、銀、錫を含む合金によって作ることができる。また、発熱線５０は、ステンレス合金、ニッケル−クロム合金、アルミニウム合金などの電熱線材料によっても作ることができる。
【００４２】
電極３、４、５５、５６は、発熱線５０の材料より電気的な固有抵抗が低い材料によって作られている。電極３、４、５５、５６は、通電されたときに発熱線５０より発熱量が少ない材料によって作られている。電極３、４、５５、５６は、複数の発熱線５０へ均等に電流を分配できるように固有抵抗が低い材料によって作られている。電極３、４、５５、５６は、金属材料によって作ることができる。電極３、４、５５、５６は、錫合金によって作ることができる。電極３、４、５５、５６は、銅、銀、錫を含む合金によって作ることができる。また、電極３、４、５５、５６は、銅合金またはアルミニウム合金などの良導体材料によっても作ることができる。
【００４３】
電極４、５５、５６と発熱線５０とは、電気的に接続されている。電極４、５５、５６と発熱線５０とは、焼結によって接続されている。電極４、５５、５６および発熱線５０の少なくとも一方は、錫を含む合金によって提供される。装置１の製造工程において、基板部２、電極４、５５、５６、および発熱線５０を提供する材料は加圧下において加熱される。この製造工程において、電極４と発熱線５０とが焼結によって一体化される。例えば、電極４、５５、５６を銅箔により提供し、発熱線５０を錫と銀とを含む粉体層によって提供することができる。粉体層は、錫粉末と銀粉末とバインダ樹脂とを含むペースト層によって提供することができる。加熱下において粉体層は合金化し、焼結によって一体化した合金からなる発熱線５０を提供する。粉体層が合金化する過程において、粉体層と銅箔との間には固相拡散層が形成される。この結果、電極４、５５、５６を提供する銅箔と、発熱線５０を提供する粉体層とが焼結によって電気的かつ機械的に接合される。
【００４４】
また、電極４、５５、５６を錫と銀とを含む粉体層によって提供し、発熱線５０を電熱線材料の薄膜により提供してもよい。さらに、電極４、５５、５６を銅箔により提供し、発熱線５０を電熱線材料の薄膜により提供し、それらの間に錫と銀とを含む粉体層を接合部材として介在させてもよい。
【００４５】
複数の発熱線５０は、一対の電極４１、４２の間に並列に接続された通電経路を形成する。電極３１、３２に所定の電圧、例えば１２Ｖの直流電力が供給されると、複数の発熱線５０に流れる電流によって、複数の発熱線５０は発熱する。複数の発熱線５０が発熱することにより、装置１の表面からは輻射熱Ｒが提供される。複数の発熱線５０の温度は、暖房装置による室内の空気の温度上昇より早く上昇する。この結果、暖房装置による暖房効果より早く、輻射熱Ｒによって乗員１２に暖かさを与えることができる。
【００４６】
電極４および発熱部５（発熱線５０および電極５５、５６を含む）の体積は、熱容量を小さくするように設定される。発熱部５の熱容量は、発熱部５の上において輻射ヒータ装置１の表面に物体が接触した後に、物体が接触している部分の温度が、短時間で低下するように設定されている。発熱部５の熱容量は、輻射ヒータ装置１の表面に物体が接触した時に、その接触部分における輻射ヒータ装置１の表面温度が短時間で所定温度を下回るように設定される。望ましい形態においては、発熱部５の熱容量は、輻射ヒータ装置１の表面にヒトの指が接触した場合に、接触の後１．０秒以内で接触部分の表面温度が６０℃を下回るように設定される。望ましい形態においては、発熱部５の熱容量は、輻射ヒータ装置１の表面にヒトの指が接触した場合に、接触の後０．３２秒で接触部分の表面温度が６０℃を下回るように設定することができる。
【００４７】
輻射ヒータ装置１の仕様、例えば、各部の寸法、性能、材料は、熱的なモデルに基づいて設定することができる。輻射ヒータ装置１の仕様は、輻射ヒータ装置１の表面に物体が接触していない状態において所要の熱供給を実現できるように設定される。さらに、輻射ヒータ装置１の仕様は、輻射ヒータ装置１の表面に物体が接触している状態において、その接触部分の表面温度が、その物体を損なうことがない温度にまで低下するように設定される。輻射ヒータ装置１の仕様は、上記２つの場合を両方とも満足するように設定される。例えば、発熱部５の長さ方向に直交する断面積ＣＡは、熱伝達モデルに基づいて設定することができる。
【００４８】
図４は、輻射ヒータ装置１に物体が接触していない状態における熱伝達モデルを示す。この熱伝達モデルでは、発熱部５が発生する熱のうち、輻射ヒータ装置１の表面（上面）に向かう熱の流れをモデル化している。
【００４９】
図中において、輻射ヒータ装置１の表面における単位面積あたりの発熱部５の発熱量をＱ０とする。Ｑ０は、発熱部５の材料、発熱部５の寸法、および発熱部５に流れる電流に基づいて求められる。発熱部５は、長さ方向と直交する断面において断面積ＣＡをもつ。発熱部５の温度はＴ１である。表面層２１の表面の温度はＴ２である。発熱部５における熱伝導率をλ１（ラムダ１）とする。発熱部５と表面層２１の表面との間の熱伝達率をλ２（ラムダ２）とする。表面層２１の厚さはｔ２１である。表面層２１の表面に伝えられる伝熱量Ｑ１（Ｗ／ｍ２）は、下記（１）式で表すことができる。
【数１】
2016022857.tif 000003
【００５０】
輻射ヒータ装置１の表面からの放熱は、主として対流と輻射とによってなされる。自然対流による熱伝達率をｈとする。空気の温度はＴ０である。対流による放熱量Ｑ２（Ｗ／ｍ２）は、下記（２）式で表すことができる。
【数２】
2016022857.tif 000004
【００５１】
輻射ヒータ装置１の表面からの放射率をε（イプシロン）とし、ステファン−ボルツマン定数をσ（シグマ）とする。輻射による放熱量Ｑ３は、下記（３）式で表すことができる。
【数３】
2016022857.tif 000005
【００５２】
輻射ヒータ装置に定格電力が供給され安定的に運転されているとき、Ｑ０＝Ｑ１＝Ｑ２＋Ｑ３となる。このとき、表面温度Ｔ２は、所要の温度で安定する。表面温度Ｔ２が、所要の輻射熱Ｒを供給できる放射温度Ｔｒになるように、輻射ヒータ装置１の仕様が設定される。放射温度Ｔｒは、例えば６０℃以上の所定温度である。
【００５３】
図５は、輻射ヒータ装置１にヒトの第２指ＦＧが接触している状態における熱伝達モデルを示す。輻射ヒータ装置１の表面に物体が接触すると、対流と輻射とが少なくとも部分的に妨げられる。また、輻射ヒータ装置１の表面からの放熱の少なくとも一部分は、接触した物体への伝熱によって提供される。物体が接触すると輻射ヒータ装置１の内部における熱的なバランスが変化する。発熱部５の温度はＴ１ｔとなる。表面層２１の表面の温度はＴ２ｔとなる。表面層２１の表面に伝えられる伝熱量Ｑ１ｔは、下記（４）式で表すことができる。
【数４】
2016022857.tif 000006
【００５４】
接触している物体の熱通過率をＫとする。接触している物体の内部温度をＴ４とする。接触している物体の直下にある表面層２１の表面から放熱される熱量Ｑ４、言い換えると接触している物体が吸熱する熱量Ｑ４は、下記（５）式で表すことができる。
【数５】
2016022857.tif 000007
【００５５】
物体が接触することにより、表面温度がＴ２からＴ２ｔに低下する。接触部分の直下における発熱部５の温度も、Ｔ１からＴ１ｔに低下する。接触に起因する温度低下により、横方向の熱の移動が発生する。発熱部５は、はるかに熱伝達率が低い基板部２によって囲まれている。よって、横方向の熱移動は、発熱部５を経由する熱量が支配的となる。発熱部５の横方向、すなわち発熱部５の長さ方向の熱的な抵抗をＲｈとする。周辺の温度低下していない発熱部５の温度をＴ３ｔとする。輻射ヒータ装置１の表面と平行に、すなわち横方向に発熱部５を経由する伝熱量Ｑ５は、下記（６）式で表すことができる。
【数６】
2016022857.tif 000008
【００５６】
発熱部５の長さをＨＬとする。発熱部５の長さ方向に関する熱抵抗Ｒｈ（Ｋ／Ｗ）は、下記（７）式で表すことができる。
【数７】
2016022857.tif 000009
【００５７】
輻射ヒータ装置１に定格電力が供給されているときに何らかの物体が輻射ヒータ装置１の表面の一部に接触する場合がある。この場合、物体が運び去る熱量のために、表面温度Ｔ２は低下する。やがてその接触部分において熱的に平衡が得られると、Ｑ０＋Ｑ５＝Ｑ１ｔ＝Ｑ４となる。このとき、表面温度Ｔ２ｔは、放射温度Ｔｒより低い温度で安定する。表面温度Ｔ２ｔが、接触している物体を保護するための抑制温度Ｔｐになるように、輻射ヒータ装置１の仕様が設定される。例えば、熱抵抗Ｒｈを規定する材料と断面積ＣＡとは、変更可能な条件として利用することができる。発熱部５の材料と断面積ＣＡとは、表面温度Ｔ２ｔが抑制温度Ｔｐになるように設定される。抑制温度Ｔｐは、例えば５０℃以下の所定温度である。
【００５８】
接触している物体が十分な放熱機能をもつ場合、接触している物体は所定の熱量を運び去ることができる。例えば、ヒトの一部分、例えば指が接触する場合、血流によって熱が運び去られる。接触している物体が運び去ることができる熱量はＱＨである。Ｑ１ｔ＝Ｑ４＜ＱＨとすることにより、表面温度Ｔ２ｔは、ヒトの一部分の温度、すなわち体温より高いが、体温に近い温度に収束する。ヒトの一部が接触することを想定した場合、抑制温度Ｔｐは４０℃以下とすることができる。この場合、抑制温度はほぼ体温である。
【００５９】
図６において、横軸は、発熱部５の長さ方向における熱抵抗Ｒｈ（Ｋ／Ｗ）を示す。縦軸は、輻射ヒータ装置１の表面温度Ｔ２を示す。縦軸は、物体が接触した状態での表面温度Ｔ２ｔでもある。図示されるように、熱抵抗Ｒｈが所定値を上回るように発熱部５を形成することにより、所定温度Ｔ２１、Ｔ２２を下回るように表面温度Ｔ２ｔが抑制される。ここで、熱抵抗Ｒｈは、発熱部の長さＬ（ｍ）、発熱部の長さ方向の熱伝導率λ１（Ｗ／ｍ・Ｋ）、発熱部の長さ方向と直交する断面積ＣＡ（ｍ２）から、下記（８）式で表すことができる。
【数８】
2016022857.tif 000010
【００６０】
例えば、所定温度Ｔ２１を下回るために、熱抵抗Ｒｈは７００（Ｋ／Ｗ）を上回るように設定することができる。所定温度Ｔ２１を下回るために、熱抵抗Ｒｈは、１０００（Ｋ／Ｗ）を上回るように設定することが望ましい。熱抵抗Ｒｈは、さらに高い値、例えば７０００（Ｋ／Ｗ）を上回るように設定することができる。
【００６１】
所定温度Ｔ２１、Ｔ２２は、接触した物体に、熱に起因する痕跡が残らないように設定することができる。また、ヒトの一部が接触することを想定した場合、所定温度Ｔ２１、Ｔ２２は、ヒトが、知覚する熱さを許容できるように、または、ヒトが、知覚する熱さに耐えることができるように設定することができる。
【００６２】
図７において、横軸は、発熱部５の長さ方向の熱伝達率λ１（Ｗ／ｍ・Ｋ）を示す。縦軸は、発熱部の長さ方向と直交する断面積ＣＡ（ｍ２）を示す。図中には、熱抵抗Ｒｈが７００（Ｋ／Ｗ）を上回る領域（Ｒｈ＞７００（Ｋ／Ｗ））がハッチングで示され、その境界が実線によって示されている。発熱部５の断面積ＣＡは、発熱部５の熱伝達率λ、すなわち材料に応じて、目標とする熱抵抗Ｒｈを実現するように設定される。
【００６３】
例えば、断面積ＣＡは、３００μｍ×３０μｍの近傍に設定することができる。また、断面積ＣＡは、２５００μｍ２を下回るように設定することができる。発熱部５が丸い断面をもつ場合、その直径は５００μｍを下回るように設定することができる。
【００６４】
図８において、第１実施形態の作動の一例が図示されている。時刻Ｔｏｎにおいて輻射ヒータ装置１への通電が開始される。表面温度Ｔ２は、通電開始直後に室温Ｔ０から急激に上昇する。表面温度Ｔ２は、輻射熱Ｒを放射可能な放射温度Ｔｒに迅速に到達する。これにより、速い立ち上げ特性が得られる。通電開始後の温度上昇は、暖房装置による空気の温度上昇より格段に速い。このため、輻射ヒータ装置１は、即効暖房装置として有効である。
【００６５】
時刻Ｔｔｃにおいて輻射ヒータ装置１の表面に物体が接触する。接触した物体は、輻射ヒータ装置１から熱を奪う。このとき、輻射ヒータ装置１は、その単位面積における熱容量を抑制するように基板部２、電極３、４、および発熱部５が形成されている。しかも、輻射ヒータ装置１は、その表面に沿った横方向の熱伝達を抑制するように形成されている。言い換えると、輻射ヒータ装置１は、横方向に関して高い熱抵抗Ｒｈを与えられている。具体的には、輻射ヒータ装置１の横方向における熱抵抗に関して支配的な発熱部５は、高い熱抵抗Ｒｈを与えられている。このため、物体が接触している部分への周囲からの熱の流入が抑制される。
【００６６】
図示されるように、輻射ヒータ装置１の表面温度Ｔ２は急激に低下する。このとき、表面温度Ｔ２は、放射温度Ｔｒから抑制温度Ｔｐまで迅速に低下する。物体が接触した後に表面温度Ｔ２が抑制温度Ｔｐを上回っている期間Ｔｄは短い。このため、ヒトが接触しても、単位時間あたりに受ける熱量が、ヒトが許容できる水準に抑制される。
【００６７】
また、物体が接触している間中、表面温度Ｔ２は、急激に上昇することはない。物体が接触している間中、表面温度Ｔ２は、低い温度に維持される。表面温度Ｔ２は、徐々に上昇する。このため、ヒトが接触しても、ヒトは、単位時間あたりに受ける熱量が許容できる水準にある間に、接触している部位を離すことができる。
【００６８】
時刻Ｔｄｔにおいて輻射ヒータ装置１の表面から物体が離れる。物体が離れることにより、輻射ヒータ装置１から物体への熱流が失われる。これにより、表面温度Ｔ２は急激に上昇し、再び放射温度Ｔｒを上回る。
【００６９】
この作動例においては、時刻Ｔｔｃと時刻Ｔｄｔとの間において、輻射ヒータ装置１の熱に起因する物体への痕跡の形成が抑制される。ヒトの一部が接触した場合、表面温度Ｔ２が抑制温度Ｔｐを上回る期間Ｔｄが短いことにより、ヒトは、知覚する熱さを許容できる。
【００７０】
この実施形態によると、輻射ヒータ装置１は、電気絶縁性の材料によって表面を提供するように形成された基板部２を有する。輻射ヒータ装置１は、表面に沿って延びるように基板部に支持された電極４と、発熱部５とを有する。一対の電極４１、４２は、表面に沿って延びるように基板部２に支持されている。発熱部５は、通電によって発熱することにより輻射熱Ｒを放射するために、電極４よりも電気的な固有抵抗が高い材料によって作られている。発熱部５は、表面に沿って延びるように基板部２に支持され、一対の電極４の間に配置されている。輻射ヒータ装置１は、輻射熱を放射するための広範囲に広がる放熱部を備えない。このため、発熱部５から放射される輻射熱は、発熱部５の要素から、基板部２の表面層２１を透過して放射される。この構成は、輻射ヒータ装置１の熱容量の抑制を可能とする。この結果、物体と接触している部分の温度を抑制することができる。また、物体と接触している部分の温度が長期間にわたって高温に維持されることを回避できる。
【００７１】
基板部２は表面層２１と裏面層２２とを有する。電極３、４と発熱部５とは表面層２１と裏面層２２との間に配置されている。基板部２は、平板状であって、電極３、４および発熱部５は表面に沿って広がる膜状である。電極４と発熱部５との両方は、熱的な容量が抑制されている。この結果、通電に応答して発熱部５の温度は迅速に上昇する。また、物体が接触すると発熱部５の温度は迅速に低下する。さらに、発熱部５は、熱伝導率が低い基板部５に埋設されている。基板部５は隣接する発熱線５０の間において断熱部を提供する。このため、物体が接触しても、物体直下に位置しない他の発熱線５０からの伝熱が抑制される。しかも、発熱線５０の通電方向、すなわち長手方向に関する熱的な抵抗は、物体が接触したときに迅速な温度低下を可能とするように十分に大きく設定されている。これにより、物体と接触している部分の温度が抑制される。
【００７２】
発熱部５は、人に暖かさを感じさせる輻射熱Ｒを放射できる放射温度Ｔｒに到達できるように設定されている。発熱線５０の長さ方向の熱的な熱抵抗Ｒｈは、表面の上において物体が接触するとき、物体が接触している部分の温度が、放射温度Ｔｒより低い抑制温度Ｔｐに低下するように設定されている。熱抵抗Ｒｈは、発熱線５０の上において物体が接触するとき、物体が接触している部分の温度が、放射温度Ｔｒより低く、接触前の物体の温度よりやや高い抑制温度Ｔｐに安定するように設定することができる。この構成によると、表面に物体が接触すると接触部分の温度が放射温度Ｔｒから抑制温度Ｔｐに低下する。これにより接触した物体への熱的な影響が抑制される。
【００７３】
電極４、５５、５６と発熱線５０とは基板部２の内部において電気的に接合されている。この構成によると、基板部２の内部において異種材料の電極４、５５、５６と発熱線５０とが接続される。例えば、電極４、５５、５６と発熱線５０とは焼結によって接合される。
【００７４】
（第２実施形態）
この実施形態は、先行する実施形態を基礎的形態とする変形例である。上記実施形態では、基板部２の対向する２辺に沿って一対の電極４１、４２が配置され、それら電極４１、４２の間に複数の発熱帯５ａ、５ｂ、５ｃが配置される。これに代えて、複数の電極４１、４２、５５、５６および複数の発熱線５０は、多様な形態の配置を採用することができる。
【００７５】
図９に図示される実施形態では、基板部２の一辺だけに沿って一対の電極４１、４２が集中的に配置されている。発熱部２０５は、一対の電極４１、４２の間において、複数の発熱線５０を直列に接続することによって提供されている。発熱部２０５は、複数の並列群５１、５２、５３、５４を有する。これら並列群５１、５２、５３、５４のそれぞれは、複数の発熱線５０を並列接続することによって構成されている。ひとつの並列群において、複数の発熱線５０は、電極５５、５６、５７によって並列に接続されている。複数の並列群５１、５２、５３、５４は、電極４１、４２の間において、直列に接続されている。複数の並列群５１、５２、５３、５４は、電極５５、５６、５７によって直列に接続されている。この実施形態でも、電極５５、５６、５７は、ターン電極を提供する。電極５５、５６、５７は、複数の発熱線のための直並列接続部を提供する。
【００７６】
（第３実施形態）
この実施形態は、先行する実施形態を基礎的形態とする変形例である。上記実施形態では、ひとつの発熱帯の中には、複数の発熱線５０を並列接続した部分が設けられている。これに代えて、ひとつの発熱帯の中に、複数の発熱線５０の並列接続部分を設けることなく、ひとつの発熱帯を、複数の発熱線５０の直列接続だけで構成してもよい。
【００７７】
図１０に図示される実施形態では、発熱部３０５は、複数の発熱帯を有する。図中には、６つの発熱帯が図示されている。ひとつの発熱帯は、複数の発熱線５０を直列に接続することによって提供されている。複数の発熱線５１ａ、５２ａ、５３ａは、電極３５５、３５６によって直列に接続されている。これら電極３５５、３５６は、複数の発熱線５０を並列に接続することなく、直列にだけ接続する。この実施形態でも、電極３５５、３５６は、ターン電極を提供する。電極３５５、３５６は、複数の発熱線５０を直列に接続する直列接続部を提供する。
【００７８】
（第４実施形態）
この実施形態は、先行する実施形態を基礎的形態とする変形例である。上記実施形態では、複数の発熱線５０を並列および／または直列に接続するための電極をターン部にのみ配置した。これに加えて、図１１に図示される実施形態では、ターン部ではない位置に、複数の発熱線５０を互いに電気的に接続し短絡する中間電極４５８が採用される。中間電極４５８は、電気的に並列であって、しかも基板部２の上において隣接する複数の発熱線５０の間を電気的に短絡する。中間電極４５８は、少なくとも２つの発熱線５０を並列に接続することにより形成された並列群５１、５２、５３の中において、複数の発熱線５０を電気的に短絡することにより、その前後の発熱線部分の間に直列の接続を提供する。中間電極４５８は、複数の発熱線５０を並列および直列に接続する直並列接続部を提供する。例えば、中間電極４５８は、ひとつの並列群５１に属する複数の発熱線５１ａ、５１ｂを短絡し、接続する。中間電極４５８は、電極４１、４２、５５、５６の間における発熱線５０を長さ方向に複数の部分に分割するように配置されている。中間電極４５８は、発熱線５０を長さ方向に等分するように配置されている。
【００７９】
中間電極４５８は、ひとつの並列群に属する複数の発熱線のひとつに断線が発生した場合に、代替的な通電経路を提供する。このため、部分的な断線が生じても、発熱する範囲の減少を抑制することができる。
【００８０】
（第５実施形態）
この実施形態は、先行する実施形態を基礎的形態とする変形例である。上記実施形態では、複数の発熱線５０を並列および／または直列に接続するために、発熱線５０より低抵抗の電極を採用した。これに代えて、発熱線５０と同じ材料によって接続部を提供してもよい。
【００８１】
図１２において、発熱部５０５は、複数の発熱線５０を有する。複数の発熱線５０は、複数の発熱帯を提供する。ひとつの発熱帯は、複数の並列群５１、５２、５３を有する。ひとつの並列群５１は、互いに並列接続された複数の発熱線５１ａ、５１ｂを有する。
【００８２】
ひとつの並列群に属する複数の発熱線５１ａ、５１ｂは、それらの両端において、２つの島状部分によって並列に接続されている。この実施形態では、４つの島状部分５９ａ、５５５、５５６、５９ｂが設けられている。島状部分５５５、５５６は、先行する実施形態の電極５５、５６に代替する要素として設けられている。島状部分５９ａ、５９ｂは、電極４１、４２と発熱線５０との間に設けられている。これら島状部分５９ａ、５５５、５５６、５９ｂは、発熱線５０と同じ材料によって形成されている。島状部分５９ａ、５５５、５５６、５９ｂは、通電方向に沿って発熱線５０より大きい断面積を提供するように形成されている。これら島状部分５９ａ、５５５、５５６、５９ｂは、複数の発熱線５０を並列および／または直列に接続する接続部を提供する。島状部分５９ａ、５５５、５５６、５９ｂは、複数の発熱線５０を並列および直列に接続する直並列接続部とも呼ぶことができる。よって、この実施形態では、複数の発熱線５０は、発熱線５０と同じ材料によって形成された接続部５５５、５５６によって直列に接続されている。
【００８３】
（第６実施形態）
この実施形態は、先行する実施形態を基礎的形態とする変形例である。上記実施形態では、真っ直ぐに延びる細長い線状の発熱線５０を採用した。これに代えて、面状、または網目状と呼びうる発熱線６５０を採用してもよい。
【００８４】
図１３において、発熱部６０５は、複数の発熱線６５０を有する。ひとつの発熱線６５０は、上述の実施形態の発熱線５０より広い幅を有している。発熱線６５０は、発熱線５０と比べると面状と呼びうる長さと幅との比率を有している。ひとつの発熱線６５０は、複数の貫通穴６５０ａを有する。複数の貫通穴６５０ａは、発熱線６５０の通電方向における断面積を発熱に適した断面積に調節する。複数の貫通穴６５０ａは、発熱線６５０の上において規則的に配列されている。発熱線６５０は、網状と呼べる形状を提供している。網状の発熱線６５０は、それ自体が、電気的に並列な複数の発熱線の集合体である。複数の貫通穴６５０ａにより網状に形成された発熱線６５０は、その中に、直列に接続された多数の線状部分を有している。網状の発熱線６５０は、広い面積を覆うことができる。
【００８５】
この実施形態でも、複数の発熱線６５０は、電極５５、５６、５７によって直列に接続されている。電極５５、５６、５７は、複数の発熱線６５０を直列に接続する直列接続部を提供している。電極５５、５６、５７は、ターン部でもある。貫通穴６５０ａの形状は多様な形状とすることができる。例えば、菱型、楕円形などを用いることができる。
【００８６】
（第７実施形態）
この実施形態は、先行する実施形態を基礎的形態とする変形例である。上記実施形態では、装置１の少なくとも一部に、電気的に並列な複数の発熱線を有している。これに代えて、複数の発熱線５０を、並列に接続することなく、直列だけに接続してもよい。また、直線的に延びる発熱線５０に代えて、多様な形状の発熱線を用いることができる。
【００８７】
図１４において、発熱部７０５は、複数の発熱線５０を有する。これら複数の発熱線５０は、電極５５、５６、５７によって直列に接続されている。電極５５、５６、５７は、複数の発熱線５０を直列に接続する直列接続部を提供している。電極５５、５６、５７は、ターン部でもある。
【００８８】
発熱部７０５は、蛇行して延びる発熱線５０ｂ、５０ｃ、５０ｄを有する。発熱線５０ｂ、５０ｃ、５０ｄは、それらの両端の電極の間において、基板部２の面に沿って蛇行している。発熱線５０ｂは三角波状に蛇行している。発熱線５０ｃは矩形波状に蛇行している。発熱線５０ｄは、滑らかな波状に蛇行している。発熱部７０５は、発熱線５０ｂ、５０ｃ、５０ｄのいずれか一種類だけで構成されてもよい。かかる構成によると、１本の発熱線によって広い面積を覆うことができる。
【００８９】
（第８実施形態）
この実施形態は、先行する実施形態を基礎的形態とする変形例である。上記実施形態では、表面層２１の表面は、平面状である。これに代えて、図１５、図１６に図示される実施形態では、表面層２１の表面に、複数の凸部８２４が設けられる。凸部８２４は、表面層２１上に形成された凸条である。凸部８２４は、細い凸条である。よって、凸部８２４は、表面層２１の表面において、発熱部５からの熱を伝えにくい部分を形成する。凸部８２４は、発熱部５の長手方向と交差するように延びている。凸部８２４は、複数の発熱部５にわたって延びている。凸部８２４は、平行に配置されたすべての発熱部５に直交するように配置されている。
【００９０】
複数の凸部８２４は、それらの間に複数の凹部８２５を区画する。複数の凸部８２４は、互いに平行に配置されている。複数の凸部８２４の間隔は、５ｍｍを下回るように設定されている。
【００９１】
この構成では、基板部２は、輻射熱Ｒの放射方向に向けて突出する凸部８２４および凸部８２４に隣接する凹部８２５を備える。凸部８２４は、複数の発熱部５が配置された範囲に分散的に配置されている。この結果、凸部８２４に隣接する凹部８２５も表面に分散的に配置される。
【００９２】
物体が表面層２１の表面に接触した場合に、物体は凸部８２４の頂面に接触する。凸部８２４と凹部８２５とは物体と表面層２１との直接的な接触面積を抑制する。凸部８２４は、長い熱伝達距離を提供する。凹部８２５は、断熱性が高い空気層を提供する。凸部８２４と凹部８２５とは、ヒトなどの物体が、発熱線５０の直上を含む高温部へ近接することを抑制する。この結果、輻射ヒータ装置１から物体への直接的な熱伝達が抑制される。
【００９３】
（第９実施形態）
この実施形態は、先行する実施形態を基礎的形態とする変形例である。上記実施形態では、凸部８２４を採用した。これに代えて、図１７、図１８に図示される実施形態では、凸部９２４が採用される。表面層２１は、複数の凸部９２４を備える。凸部９２４は、発熱部５と平行に延びている。凸部９２４は、発熱部５の直上に位置付けられている。言い換えると、凸部９２４は、発熱部５の上に重なるように設けられている。複数の凸部９２４は、それらの間に凹部９２５を区画している。この構成でも、物体は凸部９２４の頂面に接触する。この結果、輻射ヒータ装置１から物体への熱伝達が抑制される。
【００９４】
（第１０実施形態）
この実施形態は、先行する実施形態を基礎的形態とする変形例である。上記実施形態では、凸部９２４を採用した。これに代えて、図１９、図２０に図示される実施形態では、凸部Ａ２４が採用される。表面層２１は、複数の凸部Ａ２４を備える。凸部Ａ２４は、発熱部５と平行に延びている。凸部Ａ２４は、隙間６の直上に位置付けられている。言い換えると、凸部Ａ２４は、発熱部５の上に重ならないように設けられている。複数の凸部Ａ２４は、それらの間に凹部Ａ２５を区画している。この構成でも、物体は凸部Ａ２４の頂面に接触する。この結果、輻射ヒータ装置１から物体への熱伝達が抑制される。
【００９５】
（第１１実施形態）
この実施形態は、先行する実施形態を基礎的形態とする変形例である。上記実施形態では、平行に延びる凸部を採用した。これに代えて、図２１、図２２に図示される実施形態では、格子状の凸部Ｂ２４が採用される。表面層２１は、相互に交差する複数の凸条を含む格子状の凸部Ｂ２４を備える。凸部Ｂ２４は、発熱部５と平行に延びる凸条と、発熱部５と交差する凸条とを含む。図示の例では、複数の凸条は直交している。一部の凸条は、発熱部５の直上に位置付けられている。一部の凸条は、隙間６の直上に位置付けられている。凸部Ｂ２４は、それらの間に凹部Ｂ２５を区画している。凹部Ｂ２５は、網目上に互いに独立している。この構成でも、物体は凸部Ｂ２４の頂面に接触する。この結果、輻射ヒータ装置１から物体への熱伝達が抑制される。
【００９６】
（第１２実施形態）
この実施形態は、先行する実施形態を基礎的形態とする変形例である。上記実施形態では、細長く延びる凸部を採用した。これに代えて、図２３、図２４に図示される実施形態では、ドット状の凸部Ｃ２４が採用される。表面層２１は、複数の凸部Ｃ２４を備える。凸部Ｃ２４は、Ｘ−Ｙ平面においてドット状の形状をもつ。一部の凸部Ｃ２４は、発熱部５の直上に位置付けられている。一部の凸部Ｃ２４は、隙間６の直上に位置付けられている。凸部Ｃ２４は、それらの間に凹部Ｃ２５を区画している。この構成でも、物体は凸部Ｃ２４の頂面に接触する。この結果、輻射ヒータ装置１から物体への熱伝達が抑制される。
【００９７】
（他の実施形態）
ここに開示される発明は、その発明を実施するための実施形態に何ら制限されることなく、種々変形して実施することが可能である。開示される発明は、実施形態において示された組み合わせに限定されることなく、種々の組み合わせによって実施可能である。実施形態は追加的な部分をもつことができる。実施形態の部分は、省略される場合がある。実施形態の部分は、他の実施形態の部分と置き換え、または組み合わせることも可能である。実施形態の構造、作用、効果は、あくまで例示である。開示される発明の技術的範囲は、実施形態の記載に限定されない。開示される発明のいくつかの技術的範囲は、特許請求の範囲の記載によって示され、さらに特許請求の範囲の記載と均等の意味及び範囲内での全ての変更を含むものと解されるべきである。
【００９８】
上記実施形態では、電極４と発熱部５とを焼結によって接続した。これに代えて、電極４と発熱部５との接続は、ろう付け、ハンダ付け、若しくは溶接のような金属接合材料を用いた接合部により、または、かしめ、若しくはネジ締付のような機械的な接続部材を用いた接合部により提供されてもよい。
【００９９】
上記実施形態では、輻射ヒータ装置１のひとつの単位を図示し、説明した。輻射ヒータ装置１は、単一のユニットが室内に設置されてもよい。また、複数の輻射ヒータ装置１を配列して、輻射ヒータ装置アレイを構成してもよい。
【０１００】
上記実施形態では、表面層２１に凸部８２４、９２４、Ａ２４、Ｂ２４、Ｃ２４および凹部８２５、９２５、Ａ２５、Ｂ２５、Ｃ２５を形成した。これに代えて、凸部と凹部とを提供する追加層を表面層２１に付加してもよい。この場合、複数の層によって表面層が提供される。
【０１０１】
上記実施形態では、複数の発熱帯５ａ、５ｂ、５ｃのそれぞれにおいて、複数の並列群５１、５２、５３が直列に接続されている。これに代えて、ひとつの発熱帯においてのみ、複数の並列群５１、５２、５３を直列に接続してもよい。この場合、残る発熱帯は、直列接続をもたない複数の発熱線５０によって提供することができる。このような、少なくとも一部に発熱線５０の直列接続を有する構成が採用されてもよい。
【０１０２】
上記実施形態では、発熱線５０は、直線状に延びている。これに代えて、蛇行する発熱線を採用してもよい。例えば、矩形波状に蛇行する発熱線、または滑らかな波状に蛇行する発熱線を採用することができる。
【符号の説明】
【０１０３】
１  輻射ヒータ装置、  ２  基板部、  ２１  表面層、  ２２  裏面層、
２３  中間層、  ３、３１、３２  外部の電極、  ４、４１、４２  内部の電極、
５  発熱部、  ５ａ、５ｂ、５ｃ  発熱帯、  ６  隙間、  ５０  発熱線、
５１ａ、５１ｂ、５２ａ、５２ｂ、５３ａ、５３ｂ  発熱線、
５１、５２、５３、５４  並列群、  ５５、５６、５７  電極、
２０５  発熱部、  ５４  並列群、  ５７  電極、
３０５  発熱部、  ３５５、３５６  電極、
４０５  発熱部、  ４５８  中間電極、
５０５  発熱部、  ５５５、５５６、５９ａ、５９ｂ  島状部分、
６０５  発熱部、  ６５０  発熱線、  ６５０ａ  貫通穴、
７０５  発熱部、  ５０ｂ、５０ｃ、５０ｄ  発熱線、
８２４、９２４、Ａ２４、Ｂ２４、Ｃ２４  凸部、
８２５、９２５、Ａ２５、Ｂ２５、Ｃ２５  凹部。
【図１】
2016022857.tif 000011
【図２】
2016022857.tif 000012
【図３】
2016022857.tif 000013
【図４】
2016022857.tif 000014
【図５】
2016022857.tif 000015
【図６】
2016022857.tif 000016
【図７】
2016022857.tif 000017
【図８】
2016022857.tif 000018
【図９】
2016022857.tif 000019
【図１０】
2016022857.tif 000020
【図１１】
2016022857.tif 000021
【図１２】
2016022857.tif 000022
【図１３】
2016022857.tif 000023
【図１４】
2016022857.tif 000024
【図１５】
2016022857.tif 000025
【図１６】
2016022857.tif 000026
【図１７】
2016022857.tif 000027
【図１８】
2016022857.tif 000028
【図１９】
2016022857.tif 000029
【図２０】
2016022857.tif 000030
【図２１】
2016022857.tif 000031
【図２２】
2016022857.tif 000032
【図２３】
2016022857.tif 000033
【図２４】
2016022857.tif 000034